(57)【要約】      （修正有）【課題】自律神経系の不調をともなう、身体バランスの低下を改善するのに有用な、簡易な身体バランス水晶帯状体を提供する。【解決手段】帯状体１の少なくとも一部に、微細振動加工を施したほぼ真球状の粒径３ｍｍ以下、好ましくは１ｍｍ以下の水晶微粒子が内包された封入部２が設けられている。【選択図】図１
0003197541.tif 000002
【実用新案登録請求の範囲】
【請求項１】
帯状体の少くとも一部に微細振動加工を施した水晶微粒子群が内包された封入部が設けられていることを特徴とする身体バランス水晶帯状体。
【請求項２】
帯状体にはその両端部において結着・脱離の自在部が設けられていることを特徴とする請求項１に記載の身体バランス水晶帯状体。
【請求項３】
帯状体は弾性体であることを特徴とする請求項１または２に記載の身体バランス水晶帯状体。
【請求項４】
水晶微粒子群が内封された封入部は複数に分画されていることを特徴とする請求項１から３のうちのいずれか一項に記載の身体バランス水晶帯状体。
【請求項５】
水晶微粒子群は、微細振動加工真球状の水晶微粒子に加工されたものであることを特徴とする請求項１から４のうちのいずれか一項に記載の身体バランス水晶帯状体。
【請求項６】
水晶微粒子群のうちの水晶微粒子は平均粒径が１ｍｍ以下であることを特徴とする請求項１から５のうちのいずれか一項に記載の身体バランス水晶帯状体。
【請求項７】
帯状体は肌着、靴下、ソックス、手袋、帽子、マフラー、スカーフ、マスク等の衣類、装身具の一部を構成していることを特徴とする請求項１から６のうちのいずれか一項に記載の身体バランス水晶帯状体。
【考案の詳細な説明】
【技術分野】
【０００１】
本考案は、身体バランスの維持、向上による健康増進に有用な身体バランス水晶帯状体に関するものである。
【背景技術】
【０００２】
従来より、ダイヤモンド、オパール、トルコ石やアメジスト（紫水晶）、透明水晶等の鉱物は、その輝き、色調、希少性等の理由から宝石、身製品等として尊重され、かつ、高価な財貨としても広く認められてきている。
【０００３】
一方、これらの鉱物のある種のものは、これを身体に装着するか、身辺に置くことで心身の快適さを増進し、心や身体の健康を促進するとの世評が否定し難いものとして知られてもいる。
【０００４】
いわゆる「パワーストーン」としての世評である。
【０００５】
このような世評に対しては、科学的に根拠が明らかでなく、信仰に似た迷妄であるとの批判が繰り返えされてもいる。
【０００６】
しかしながら、実生活において、科学的見識として明らかでない事象は多様に認められることは言うまでもない。「技術」そのものが、科学以前の事象としてあることも認められる。科学的理由の解明は進んでいないが、技術的な再現効果が否定し難い事象が認められるからである。
【０００７】
このような事象として、前記の「パワーストーン」の一つとしての水晶が知られている。
【０００８】
この水晶については、産業技術としては、例えば水晶振動子としてよく知られており、その特異な結晶構造と特性が注目されている。また、水晶は古くから人の心を映すものとして心身に大きな影響を及ぼすことも推認されている。ただ、これまでは、この心身に及ぼす影響について、これを実際的な技術的物品として社会に提示された例はほとんどないのが実情であった。
【考案の概要】
【考案が解決しようとする課題】
【０００９】
本考案者は、以上のような背景をも踏まえ、心身の健康への観点から、水晶体への関心を深めてきた。
【００１０】
特に近代社会における高ストレスにともなう身体バランスの不調や喪失に対しての有用性についての検討を進めてきた。
【００１１】
本考案は、以上のことから、自律神経系の不調をもともなう、身体バランスの低下に対して有用な、水晶体の利用についての新しい技術的手段を提供することを課題としている。
【課題を解決するための手段】
【００１２】
本考案は以下のことを特徴としている。
【００１３】
１．帯状体の少くとも一部に微細振動加工を施した水晶微粒子群が内包された封入部が設けられていることを特徴とする身体バランス水晶帯状体。
【００１４】
２．帯状体にはその両端部において結着・脱離の自在部が設けられていることを特徴とする１．の身体バランス水晶帯状体。
【００１５】
３．帯状体は弾性体であることを特徴とする１．または２．の身体バランス水晶帯状体。
【００１６】
４．水晶微粒子群が内封された封入部は複数に分画されていることを特徴する１．から３．のうちのいずれかの身体バランス水晶帯状体。
【００１７】
５．水晶微粒子群は、微細振動加工真球状の水晶微粒子に加工されたものであることを特徴とする１．から４．のうちのいずれかの身体バランス水晶帯状体。
【００１８】
６．水晶微粒子群のうちの水晶微粒子は平均粒径が１ｍｍ以下であることを特徴とする１．から５．のうちのいずれかの身体バランス水晶帯状体。
７．帯状体は、肌着、靴下、ソックス、手袋、帽子、マフラー、スカーフ、マスク等の衣類、装身具の一部を構成していることを特徴とする１．から６．のうちのいずれかの身体バランス水晶帯状体。
【考案の効果】
【００１９】
本考案の身体バランス水晶帯状体によれば、自律神経系の不調をもともなう、身体バランスの低下に対してこれを改善するのに有用な、簡易な新しい手段が提供される。
【図面の簡単な説明】
【００２０】
【図１】本考案の身体バランス水晶帯状体の一実施形態を例示した外観要部斜視図である。
【図２】図１のＡ−Ｂ断面概要図である。
【図３】別の実施形態の断面図である。
【図４】自律神経機能バランス（ＬＦ／ＨＦ）の比較図である。
【図５】図３について対数加（ｌｏｇ）して評価した図である。
【考案を実施するための形態】
【００２１】
本考案の身体バランス水晶帯状体では、帯状体として、少くともその一部に、微細振動加工が施された水晶微粒子群が内包された封入部が設けられている。
【００２２】
図１は、その一例を示したものであるが、帯状体１の長さ方向の中間域等の所定の、所望の位置に封入部２が設けられている。この封入部２には、所定の、所望の質量もしくは個数の水晶微粒子が群として内包されている。また、この例では、帯状体１の両末端の各々には、相互に結着し、またこれを脱着可能とした結着・脱着自在部３が設けられている。
【００２３】
帯状体１の長さ、幅は用途によって適宜であってよく、例えばその用途は、身体への装着位置によって選択される。例えば手首に装着するリストバンド、足首に装着するフットバンド、脚に装着するレッグバンド、さらには腹帯、胸帯、肩パッド、ネックバンド、ヘッドバンド等の各種であってよい。また、帯状体はその一部、もしくは全体が弾性体であってもよい。
【００２４】
帯状体１の封入部２については、単一箇所であってもよいし、複数箇所に分散して、もしくは隣接するようにして分画して設けてもよい。これらの配置は、用途に応じて選択することができ、その平面形状も、四角形をはじめ円形、長円形、あるいは、線状形等の各種であってよい。
【００２５】
図２に、図１のＡ−Ｂ断面図を例示したが、例えば、帯状体１は、織物、不織布、フィルム、シート等の貼り合わせ、積層体として構成し、封入部２には、例えば水晶微粒子群２１を内包したフィルムやシート状の袋体２２を封入するようにしてもよい。
【００２６】
この場合、封入部２においては、水晶微粒子が相互に接触動できるようにする。
【００２７】
水晶微粒子は、本考案において微細振動加工が施されたものである。この微細振動加工は、不定形もしくは非球形の水晶粒子に対して微弱な力での、超音波や、電磁的な、もしくは機械的な振動を印加することで、ほぼ真球状の微粒子に加工することをその意義としている。水晶微粒子の平均粒径は、一般的には３ｍｍ以下、より好ましくは１ｍｍ以下である。
【００２８】
このような微細な水晶微粒子は、微細振動加工によってほぼ真球形であることで、水晶微粒子の結晶構造と隣接微粒子との接触動による振動が、身体バランスの維持、向上に有益なものとなっていると考えられる。
【００２９】
封入部２の大きさ、全体質量については特に限定されることはないが、その用途において、身体への負担を過度に感じない範囲とすることでよい。
【００３０】
図１に例示した結着・脱着自在部３については、いわゆるファスナーテープであってもよいし、紐やホック、ボタン等による手段であってもよい。
【００３１】
もちろん、本考案においては、このような結着・脱着自在部３を持つことなく、帯状体１が弾性体によって構成されて、ループ、つまり伸縮自在な環状帯として構成されていてもよい。
【００３２】
なお、本考案における帯状体は、肌着、靴下、ソックス、手袋、帽子、マフラー、スカーフ、マスク等の肌に接する衣類や装身具の一部を構成するものであってもよい。例えば、靴下、ソックスの足具、レッグまわりの弾性部位の一部とすることができる。
【００３３】
また、図３は、本考案の別の実施形態としての例を図２と同様の断面図として示したものであるが、封入部２は、袋体２２を帯状体１の一部に貼合わせたものである。このような形態であってもよい。例えば袋体２２は、水晶微粒子群２２を内包したポリウレタン等の樹脂フィルムからなるものであって、かつ、身体への装着面側に銀等の金属膜２３やフィルム、シートを配設したものであってもよい。特に銀（Ａｇ）の場合には、それ自身として抗菌性があって皮膚への密着において清潔であり、また、水晶微粒子群との相互作用によって、身体バランスの効果を高めることも期待される。
【００３４】
例えば、手首に本考案の身体バランス水晶帯状体をリストバンドとして装着し、株式会社疲労科学研究所の体バランス・自律神経比較試験を行い、被験者（３１名）について自律神経機能の変化を検討した。
【００３５】
図４は、自律神経機能バランス（ＬＦ／ＨＦ）比較を示したものである。また、自律神経系は正規分布していないと言われていることから、対数加（ｌｏｇ）して検討した。図５はその結果を示したものである。
【００３６】
図４および図５からは、手首への装着後には、自律神経機能バランスが優位に低下していることが確認された。また、自律神経活動（ｔｏｔａｌＰＷ）、自律神経活動の揺らぎ（ＣＣＶＴＰ）のいずれにおいても、手首への装着後には、同様に、自律神経活動のゆらぎが優位に低下することが確認された。これは、本考案の身体バランス水晶状体のリストバンドを手首に装着したことで、交感神経機能が抑制されたことを示唆している。つまり、交感神経機能を抑え、相対的に副交感神経機能の比率を大きくする効果が示唆されていると言える。
【００３７】
また、体バランスの体感チェック試験においては、直立して両手を背中腰部で結んだ状体において、他者が両手を直下に押した場合のバランスを評価すると、上記のように手首に装着した場合には９０％以上の被験者が安定して直立姿勢を保つことができたが、非装着の場合には、逆に９０％以上の被験者はバランスを崩し、安定した直立状態を保つことができなかった。
【００３８】
身体のバランスが崩れ、重心が揺らぐと身体を動かすことの余分な力が必要になる。その結果、疲れやすくなり、動きがスムーズにできないため、関節などに負担がかかりストレスや痛みを誘発しやすくなる。
【００３９】
これに対し、本考案の帯状体によれば、人が本来持っているバランス能力を取り戻し、心身の安定を向上することが可能となる。
【図１】
0003197541.tif 000003
【図２】
0003197541.tif 000004
【図３】
0003197541.tif 000005
【図４】
0003197541.tif 000006
【図５】
0003197541.tif 000007